(57)【特許請求の範囲】
【請求項１】
所定の調理位置に載置された調理容器を加熱するための加熱部と、
前記調理容器の温度を検出するための温度検出部と、
前記調理位置に前記調理容器が載置されているか否かを検知するための容器検出部と、
前記加熱部による加熱量を制御するための制御部と、
吹きこぼれ防止制御が実行される所定の調理モードを指示するための操作部と、
前記制御部は、
前記操作部によって前記所定の調理モードが開始されたときに、前記温度検出部による検出温度に基づく沸騰検出処理による前記調理容器内での湯の沸騰の検出後に前記吹きこぼれ防止制御を開始する第１のパターンと、前記沸騰検出処理を行わずに前記吹きこぼれ防止制御を開始する第２のパターンとを選択するように構成され、
前記制御部は、前記沸騰検出処理の実行時には、前記検出温度の推移に基づいて前記沸騰を検出するとともに、前記吹きこぼれ防止制御の実行時には、前記加熱量を時間経過に応じて繰り返し増減させ、
前記制御部は、前回の前記吹きこぼれ防止制御の終了時から今回の前記所定の調理モードの開始時までの間に前記容器検出部によって前記調理容器が継続的に載置されていることが検出され、かつ、前記所定の調理モードの開始時における前記検出温度が判定温度よりも高いときには、前記第２のパターンを選択する、加熱調理機器。
【請求項２】
前記判定温度は、前回の前記吹きこぼれ防止制御の終了時点における前記検出温度に従って、当該検出温度よりも低い温度に設定される、請求項１記載の加熱調理機器。
【請求項３】
前記所定の調理モードは、麺を茹でるための調理メニューの指定によって起動される、請求項１または２記載の加熱調理機器。
【請求項４】
前記制御部は、前記調理モードにおいて、麺茹での開始からユーザによる指定時間が経過すると、前記加熱部による加熱を停止して前記吹きこぼれ防止制御を終了する、請求項３記載の加熱調理機器。
【発明の詳細な説明】
【技術分野】
【０００１】
この発明は、加熱調理機器に関し、より特定的には、加熱量の自動調整機能を有する加熱調理機器に関する。
【背景技術】
【０００２】
ガスコンロに代表される加熱調理機器において、加熱量を時間経過に応じて自動調整する機能を有する機種が開発されている。たとえば、特開２００６−１３２８２４号公報（特許文献１）には、吹きこぼれ防止スイッチの操作に応じて、大加熱量および小加熱量を自動的に繰り返すことによる吹きこぼれ防止制御を実行することが記載されている。
【先行技術文献】
【特許文献】
【０００３】
【特許文献１】特開２００６−１３２８２４号公報
【発明の概要】
【発明が解決しようとする課題】
【０００４】
特許文献１では、吹きこぼれ防止制御は、通常加熱制御中に吹きこぼれ防止スイッチがオン操作されると、オン操作された時点から開始される。また、従来の煮込み調理モードとして、調理容器の温度が沸騰直前の温度になると吹きこぼれ防止制御を開始するものが記載されている。
【０００５】
このように、吹きこぼれ防止制御がプロセスの一部分である調理モードが選択される場合には、調理容器内の加熱対象物の温度状態を反映して、吹きこぼれ防止制御の開始を制御することが好ましい。たとえば、麺を茹でるための調理モードでは、加熱対象物である湯の沸騰を検出した後に、吹きこぼれ防止制御を開始することが好ましい。
【０００６】
しかしながら、通常、加熱調理機器では、調理容器内の加熱対象物の温度を直接検出することは困難であり、特許文献１でも、吹きこぼれ防止制御中における加熱量の切換タイミングは、加熱用位置に載置された調理容器の底部に当接する温度センサの検出温度によって制御されている。
【０００７】
したがって、当該温度センサを用いて加熱対象物である湯が沸騰するタイミングを正しく検知するためには、単純に温度センサの検出温度と閾値との比較のみに依存するのではなく、ある程度の時間経過の下での検出温度の推移に基づいて、沸騰を検出する必要がある。
【０００８】
このため、加熱対象物（湯）が沸騰間近である状態から、吹きこぼれ防止制御を含む調理モードが開始された場合には、沸騰検出に必要な時間経過のうちに加熱過多となってしまい、調理容器からの湯の吹きこぼれが発生してしまう虞がある。
【０００９】
この発明はこのような問題点を解決するためになされたものであって、この発明の目的は、吹きこぼれ防止制御を適切に開始することによって、調理容器からの湯の吹きこぼれを防止することである。
【課題を解決するための手段】
【００１０】
この発明のある局面では、加熱調理機器は、加熱部と、温度検出部と、容器検出部と、制御部と、操作部とを備える。加熱部は、所定の調理位置に載置された調理容器を加熱するように構成される。温度検出部は、調理容器の温度を検出するように構成される。容器検出部は、調理位置に調理容器が載置されているか否かを検知するように構成される。制御部は、加熱部による加熱量を制御するように構成される。操作部は、吹きこぼれ防止制御が実行される所定の調理モードを指示可能に構成される。制御部は、操作部によって所定の調理モードが開始されたときに、温度検出部による検出温度に基づく沸騰検出処理による調理容器内の沸騰の検出後に吹きこぼれ防止制御を開始する第１のパターンと、沸騰検出処理を行わずに吹きこぼれ防止制御を開始する第２のパターンとを選択するように構成される。さらに、制御部は、沸騰検出処理の実行時には、検出温度の推移に基づいて沸騰を検出するとともに、吹きこぼれ防止制御の実行時には、加熱量を時間経過に応じて繰り返し増減させる。さらに、制御部は、前回の吹きこぼれ防止制御の終了時から今回の所定の調理モードの開始時までの間に容器検出部によって調理容器が継続的に載置されていることが検出され、かつ、所定の調理モードの開始時における検出温度が判定温度よりも高いときには、第２のパターンを選択する。
【００１１】
上記加熱調理機器によれば、調理容器内の湯温が沸騰温度に比較的近い状態から、所定の調理モードが再開されるケースにおいて、沸騰検出処理を実行せずに吹きこぼれ防止制御を開始できる。したがって、このようなケースにおいて、沸騰検出処理が完了するまでの間に調理容器内の湯が沸騰してしまい、湯の吹きこぼれが発生することを防止できる。すなわち、吹きこぼれ防止制御を適切に開始することによって、調理容器からの湯の吹きこぼれを防止することが可能となる。また、通常時（上記ケース以外）では、沸騰検出後の湯を用いて、指定の調理モードを実行することができる。
【００１２】
好ましくは、判定温度は、前回の吹きこぼれ防止制御の終了時点における検出温度に従って、当該検出温度よりも低い温度に設定される。
【００１３】
このようにすると、前回の吹きこぼれ防止制御の終了時点からの温度変化に基づいて、所定の調理モードの開始（再開）時点において、調理容器内の湯温が沸騰温度に比較的近い状態であることを、より正確に検知することができる。
【００１４】
好ましくは、所定の調理モードは、麺を茹でるための調理メニューの選択によって起動される。また好ましくは、制御部は、調理モードにおいて、麺茹での開始からユーザによる指定時間が経過すると、加熱部による加熱を停止して吹きこぼれ防止制御を終了する。
【００１５】
このようにすると、麺茹でモードにおいて、吹きこぼれ防止制御を適切に開始することによって、調理容器からの湯の吹きこぼれを防止することが可能となる。
【発明の効果】
【００１６】
この発明によれば、加熱量を自動制御できる加熱調理機器において、吹きこぼれ防止制御を適切に開始することによって、調理容器からの湯の吹きこぼれを防止することができる。
【図面の簡単な説明】
【００１７】
【図１】本発明の実施の形態に従う加熱調理機器の一例として示されるコンロの概略構成図である。
【図２】図１に示されたコンロにおける加熱量の自動制御を説明するための機能ブロック図である。
【図３】麺茹でモードにおける加熱量の自動制御を説明するための概念的な波形図である。
【図４】沸騰検出処理の概要を説明するための概念的な波形図である。
【図５】実施の形態に従う加熱調理機器における麺茹でモードの制御処理を説明するフローチャートである。
【図６】図５に示された沸騰検出要否判定での処理の詳細を示すフローチャートである。
【発明を実施するための形態】
【００１８】
以下に、本発明の実施の形態について図面を参照して詳細に説明する。なお、以下では図中の同一または相当部分には同一符号を付して、その説明は原則的に繰返さないものとする。
【００１９】
図１は、本発明の実施の形態に従う加熱調理機器の一例として示されるコンロ１００の概略構成図である。
【００２０】
図１を参照して、コンロ１００は、キッチンカウンターに組み込まれるビルトインタイプである。コンロ１００は、バーナ２０，３０，４０と、バーナ２０，３０，４０のそれぞれの点火スイッチ６１，６２，６３と、バーナ２０，３０，４０のそれぞれの操作パネル５１，５２，５３とを備える。
【００２１】
コンロ１００の上面を覆っている天板１１の左側にはバーナ２０が配置され、天板１１の右側にはバーナ３０が配置される。さらに、天板１１の中央の奥にはバーナ４０が配置されている。ユーザによって操作される、操作パネル５１〜５３および点火スイッチ６１〜６３は、コンロ１００の前面に配置される。
【００２２】
グリル６は、コンロ１００の前面の中央において引出可能に配置されている。コンロ１００の前面には、グリル６の操作パネル７０がさらに配置されている。さらに、グリル排気口７が、天板１１に配置されている。
【００２３】
バーナ２０には、五徳２２および温度センサ２５が配置される。温度センサ２５は、五徳２２の上の所定の調理位置に、鍋やフライパン等の調理容器が載置されると、当該調理容器と接触するように配置される。温度センサ２５は、接触した調理容器の底面の温度を熱電対等によって検出する。また、温度センサ２５には、バーナ２０への調理容器の載置の有無を検知するための荷重センサ２６が内蔵される。荷重センサ２６は、上記調理位置に調理容器が載置されたときに、ばね等の弾性体を通じて当該調理容器による荷重を検出するように配置することができる。
【００２４】
同様に、バーナ３０には、五徳３２および温度センサ３５が配置され、バーナ４０には、五徳４２および温度センサ４５が配置される。温度センサ３５および４５には、それぞれ荷重センサ３６および４６が内蔵される。
【００２５】
コントローラ１０は、コンロ１００の内部に収容されている。コントローラ１０は、コンロ１００の構成機器の動作を制御することによって、操作パネル５１〜５３および点火スイッチ６１〜６３へのユーザ操作に従って調理容器を加熱する。コントローラ１０は、たとえば、マイクロコンピュータおよび電源回路等を搭載した電子回路基板によって構成される。
【００２６】
図２は、コンロ１００における加熱量の自動制御を説明するための機能ブロック図である。
【００２７】
図２を参照して、バーナ２０，３０，４０の各々は、燃料ガスの燃焼熱によって、調理容器を加熱する。バーナ２０，３０，４０による加熱量は、燃料ガスの流量に依存して決まる。バーナ２０，３０，４０の各々は、「加熱部」の一実施例に対応する。
【００２８】
バーナ２０，３０，４０に対しては、流量調整部２７，３７，４７をそれぞれ経由して、燃料ガスが供給される。流量調整部２７は、点火スイッチ６１の操作に応じて、バーナ２０へ点火のための燃料ガスを供給するとともに、着火状態のバーナ２０へ供給される燃料ガスの流量（以下、「ガス流量」とも称する）を調整する。同様に、流量調整部３７は、バーナ３０へ供給されるガス流量を調整し、流量調整部４７は、バーナ４０へ供給されるガス流量を調整する。
【００２９】
たとえば、流量調整部２７，３７，４７の各々は、特許文献１と同様に、コントローラ１０によって制御されるステッピングモータ（図示せず）の駆動により燃料ガスの流路面積を可変制御することによって、ガス流量を調整するように構成することができる。このように、コントローラ１０からの制御信号に基づく、流量調整部２７，３７，４７によるガス流量の制御によって、バーナ２０，３０，４０からの加熱量を可変制御することができる。
【００３０】
バーナ２０，３０，４０の各々では、荷重センサ２６，３６，４６によって、調理位置に調理容器２００が載置されているか否かを検知することができる。さらに、温度センサ２５，３５，４５によって、バーナ２０，３０，４０の調理位置に載置された調理容器２００の温度を検出することができる。すなわち、温度センサ２５，３５，４５の各々は「温度検出部」の一実施例に対応し、荷重センサ２６，３６，４６の各々は、「容器検出部」の一実施例に対応する。
【００３１】
コントローラ１０は、ＣＰＵ（Central  Processing  Unit）１１およびメモリ１２を含む。コントローラ１０は、メモリ１２に予め記憶された制御プログラムを実行することにより、コンロ１００の動作を制御することができる。さらに、コントローラ１０には図示しない入出力ポートが配置されており、外部の各センサおよび各機器との間で信号の授受が可能である。また、コントローラ１０は、クロック信号等によるカウンタで構成された計時のためのタイマ１３をさらに有する。
【００３２】
さらに、コントローラ１０は、スピーカ１４からの電子音および／または音声の出力を制御するとともに、発光ダイオード１５の点灯／点滅／消灯を制御する。発光ダイオード１５は、数字表示用の７セグメントＬＥＤ（Light  Emitting  Diode）を構成してもよく、操作パネル５１，５２，５３に設けられた操作スイッチ（図示せず）の裏側に配置されて、当該操作スイッチを目立たせるために点灯または点滅されてもよい。
【００３３】
コントローラ１０は、点火スイッチ６１〜６３の操作に応じて、流量調整部２７，３７，４７および、図示しない点火プラグを制御して、バーナ２０，３０，４０を着火する。
【００３４】
さらに、コンロ１００では、操作パネル５１〜５３の操作により、調理モードの指定が可能である。たとえば、操作パネル５１〜５３の各々に設けられた操作スイッチ（図示せず）の操作によって、特定の調理モードを指示することができる。コントローラ１０は、調理モードが指示されると、指示された調理モードの加熱パターンに従って、バーナ２０，３０，４０の加熱量を制御することができる。本実施の形態では、操作パネル５１〜５３の操作によってユーザが指示可能な調理モードが、麺を茹でる調理メニュ―を指定するための「麺茹でモード」を含むものとする。すなわち、操作パネル５１〜５３は、「操作部」の一実施例に対応する。また、コントローラ１０は「制御部」の一実施例に対応する。
【００３５】
以下では、調理容器２００が載置されたバーナ２０に対して、操作パネル５１によってバーナ２０を用いた麺茹でモードが指定された場合を例示して、コンロ１００の動作について説明する。
【００３６】
図３は、麺茹でモードにおける加熱量の自動制御を説明するための概念的な波形図である。
【００３７】
図３を参照して、時刻ｔ０において麺茹でモードがオンされると、コントローラ１０は、まず調理容器２００内の水を沸騰させるために、バーナ２０からの加熱量を、一定値Ｑ３（たとえば、最大熱量）に制御する。時刻ｔ０以降では、コントローラ１０は、併せて、温度センサ２５による検出温度に基づいて沸騰検出処理を実行する。
【００３８】
コントローラ１０は、時刻ｔａにおいて、沸騰検出処理によって沸騰が検出されると、バーナ２０による加熱量をＱ３からＱ１に絞って麺の投入を待機する。コントローラ１０は、沸騰を検出すると、スピーカ１４および／またはＬＥＤ１５を用いて沸騰が検知されたことをユーザに通知して、麺の投入を促す。
【００３９】
時刻ｔｂにおいて、麺の投入に連動したユーザによるボタン操作に応じて、麺茹での開始が検知される。この時点において、麺茹での指定時間Ｔｍｄが読込まれる。指定時間Ｔｍｄは、麺茹でモードの起動時に、ユーザによって操作パネル５１から入力される。また、時刻ｔ０〜ｔｂの期間においても、ユーザは、操作パネル５１によって指定時間Ｔｍｄを入力または修正することが可能である。
【００４０】
コントローラ１０は、麺茹での開始が検知されると（時刻ｔｂ）、特許文献１と同様の吹きこぼれ防止制御を開始する。これにより、バーナ２０からの加熱量は、たとえば、Ｑ３およびＱ２（Ｑ３＞Ｑ２＞Ｑ１）の間で繰返し増減される。加熱量をＱ３およびＱ２の間で切換えるタイミングについては、所定パターンに従って、タイマ１３によって計測される経過時間に応じて制御することができる。あるいは、特許文献１のように、検出温度と、上限温度および下限温度との比較に基づくヒステリシス制御によって、加熱量をＱ３およびＱ２の間で切換えてもよい。本実施の形態において、吹きこぼれ防止制御における加熱量の自動制御の内容は特に限定されるものではなく、過加熱による吹きこぼれの発生を防止できるものであれば、任意の態様とすることができる。
【００４１】
コントローラ１０は、タイマ１３の計時に基づいて、麺茹での開始（時刻ｔｂ）から指定時間Ｔｍｄが経過したことを検知すると（時刻ｔｃ）、流量調整部２７によって燃料ガスの供給を遮断することにより、バーナ２０を自動的に消火する。これにより、バーナ２０による加熱が停止されて、吹きこぼれ防止制御が終了されるとともに、麺茹でモードが終了される。
【００４２】
図３に示したように、吹きこぼれ防止制御は、麺茹でモードにおいて、基本的には沸騰検出後に実行される。これにより、沸騰した湯によって、ユーザによる指定時間に従って麺を茹でることができるとともに、麺茹で中（時刻ｔｂ〜ｔｃ間）には、吹きこぼれを防止することができる。
【００４３】
次に、コンロ１００での沸騰検出処理について説明する。
図４は、沸騰検出処理の概要を説明するための概念的な波形図である。
【００４４】
図４を参照して、麺茹でモードにおける沸騰検出処理は、温度センサ２５と接触する調理容器２００の底面の検出温度Ｔｄを用いて実行される。しかしながら、検出温度Ｔｄは、湯温を直接測定しているものではないため、検出温度Ｔｄと沸点温度との単純な比較によって沸騰を検出することはできない。このため、沸騰検出処理は、検出温度Ｔｄの時間的な推移に基づいて実行される。
【００４５】
図４に示されるように、一定加熱量（図３でのＱ３）によるバーナ２０での加熱により、検出温度Ｔｄは、連続的に上昇した後、温度上昇が飽和する。あるいは、調理容器２００内の湯温よりも先に検出温度が上昇するため、実際の沸騰時点では、検出温度Ｔｄが僅かに低下する可能性もある。また、加熱時の温度推移は、調理容器２００の材質（熱伝導性）によっても異なってくる。したがって、コントローラ１０は、検出温度Ｔｄと判定温度との単純な比較によらず、沸騰点近傍での検出温度Ｔｄの時間的推移に基づいて、沸騰検出処理を実行する。
【００４６】
図４の例では時刻ｔ１において、検出温度Ｔｄは基準温度Ｔｘに到達し、時刻ｔ２において、検出温度Ｔｄは基準温度Ｔｙに到達する。時刻ｔ３において、Ｔｄ≧Ｔｙの状態が所定時間Ｔｃ継続したことが検知される。このとき、コントローラ１０は、時刻ｔａ（Ｔｄ＝Ｔｘ）から時刻ｔｃまでの所要時間Ｔａを、タイマ１３によって計測する。
【００４７】
コントローラ１０は、時刻ｔ３以降では、検出温度Ｔｄがさらに所定温度（たとえば１℃）上昇するまでの時刻ｔ３〜ｔ４の所要時間Ｔｒｓを、タイマ１３によって計測する。
【００４８】
コントローラ１０は、所要時間Ｔｒｓが所定の判定時間Ｔｒよりも長いと沸騰を検出する。あるいは、コントローラ１０は、時刻ｔ３以降において、判定時間Ｔｄｗの間、検出温度Ｔｄの低下が継続したとき（時刻ｔ５）にも、沸騰を検出することができる。
【００４９】
なお、時刻ｔａ〜ｔｃの所要時間Ｔａは、特定の一定加熱条件下（Ｑ３一定）での温度上昇レートであるため、調理容器２００の材質（熱伝導性）に依存して変化することが理解される。したがって、上述の判定時間Ｔｒ，Ｔｄｗについて、計測された所要時間Ｔａに応じた可変値とすることにより、調理容器２００の材質（熱伝導性）を考慮した精密な沸騰検出を行うことが可能である。
【００５０】
なお、図４に示された沸騰検出処理は一例であり、本実施の形態では、温度センサ２５による調理容器２００の検出温度Ｔｄの時間的推移に基づく条件であれば、任意の条件設定によって沸騰を検出することができる。いずれにせよ、検出温度Ｔｄの時間的推移を監視するために、沸騰検出処理が開始されてから実際に沸騰が検出されるまでに、ある程度の時間経過を要することが理解される。
【００５１】
ここで、一旦麺茹でモードが終了された後（すなわち、バーナ２０による加熱停止後）、ユーザによる茹で具合の確認結果に応じて、調理容器２００がバーナ２０上に載置されたままの状態で、ユーザによって再度麺茹でモードが開始されるケースが想定される。このとき、前回の麺茹でモード終了時点からの経過時間が短いと、調理容器２００内の湯温が沸騰温度に比較的近い状態から、麺茹でモードが再開されることになる。以下では、このようなケースを「短時間再開ケース」とも称する。
【００５２】
上記のような短時間再開ケースでは、図３に示された、通常の麺茹でモードを適用して沸騰検出処理を実行すると、ある程度の時間を要する沸騰検出処理が完了するまでの間に、調理容器２００内の湯が沸騰してしまい、吹きこぼれ防止制御が開始される前に、湯の吹きこぼれが発生する虞がある。したがって、本実施の形態に従う加熱調理機器では、麺茹でモードに代表される、沸騰検出処理および吹きこぼれ防止制御を含む調理モードを、以下の様に構成する。
【００５３】
図５は、実施の形態に従う加熱調理機器における麺茹でモードの制御処理を説明するフローチャートである。
【００５４】
図５を参照して、コントローラ１０は、ステップＳ１００により、操作パネル５１〜５３の操作により、麺茹でモードがオンされたかどうかを判定する。コントローラ１０は、麺茹でモードがオンされると（Ｓ１００のＹＥＳ判定時）、ステップＳ１１０に処理を進めて、上記短時間再開ケースを抽出するための沸騰検出要否判定を実行する。以下でも、バーナ２０上に載置された調理容器２００が麺茹でに用いられるものとして説明する。
【００５５】
なお、麺茹でモードがオンされないとき（Ｓ１００のＮＯ判定時）は、ステップＳ１１０以下の処理が実行されることなく処理は終了される。したがって、図５に示された制御処理は、周期的に実行される必要はなく、ユーザによる麺茹でモードのオン操作（操作パネル５１〜５３）の検知をトリガとして、ステップＳ１１０以降の処理が起動される態様で実行することができる。
【００５６】
図６は、図５のステップＳ１１０での沸騰検出要否判定の処理の詳細を示すフローチャートである。図５に示されたステップＳ１１０は、ステップＳ１１２、Ｓ１１４、Ｓ１１６およびＳ１１８を有する。
【００５７】
図６を参照して、コントローラ１０は、ステップＳ１１２により、バーナ２０の前回の自動消火タイミングから現在までの期間において、調理容器２００がバーナ２０上に載置されたままの状態であるか否かを判定する。具体的には、荷重センサ２６での荷重オフが上記期間内に検出されているか否かが判定される。
【００５８】
コントローラ１０は、荷重オフの非検出時（Ｓ１１２のＹＥＳ判定時）には、ステップＳ１１４により、現在の検出温度Ｔｄを判定温度Ｔｔｈと比較する。そして、コントローラ１０は、Ｔｄ＞Ｔｔｈであると（Ｓ１１４のＹＥＳ判定時）、上記短時間再開ケースであることを検出して、ステップＳ１１６に処理を進める。ステップＳ１１６では、沸騰検出が必要であることを示すフラグＦＬＧ＝０に設定される。
【００５９】
これに対して、コントローラ１０は、ステップＳ１１２またはＳ１１４がＮＯ判定とされるとき、すなわち、バーナ２０の自動消火後に調理容器２００の荷重オフが検出されたとき、あるいは、検出温度Ｔｄが低下しているときには、ステップＳ１１８に処理を進めて、ＦＬＧ＝１に設定する。
【００６０】
なお、ステップＳ１１４で用いる判定温度Ｔｔｈは、固定値としてもよく、バーナ２０の前回の自動消火タイミング（すなわち、前回の吹きこぼれ制御の終了タイミング）における検出温度Ｔｄ（ｆ）に従って可変に設定されてもよい。たとえば、所定の正値のパラメータα（α＞０）またはβ（β＜１．０）を用いて、下記（１）式または（２）式に従って設定することができる。
【００６１】
Ｔｔｈ＝Ｔｄ（ｆ）−α      …（１）
Ｔｔｈ＝β×Ｔｄ（ｆ）      …（２）
式（１），（２）のいずれによっても、Ｔｔｈ＜Ｔｄ（ｆ）に設定されることが理解される。このように判定温度Ｔｔｈを可変設定すると、吹きこぼれが発生し易くなるケースをより正確に抽出することができる。
【００６２】
再び図５を参照して、コントローラ１０は、ステップＳ１２０により、図６で設定されたフラグＦＬＧ＝１であるかどうかを判定する。コントローラ１０は、ＦＬＧ＝１のとき（Ｓ１２０のＹＥＳ判定時）には、コントローラ１０は、ステップＳ１３０により、沸騰検出処理を実行する。沸騰検出処理の実行中には、図４で説明したように、温度センサ２５の検出温度Ｔｄの推移が監視される。沸騰が検出されるまでの間（Ｓ１４０のＮＯ判定時）、加熱量を一定に維持した沸騰検出処理（Ｓ１３０）が継続的に実行される。
【００６３】
コントローラ１０は、沸騰を検出すると（Ｓ１４０のＹＥＳ判定時）、コントローラ１０は、ステップＳ１５０に処理を進めて、スピーカ１４および／またはＬＥＤ１５を用いて、沸騰をユーザに通知するとともに、ステップＳ１６０により、麺投入の待機状態となる。このとき、図３の時刻ｔａ〜ｔｂで示したように、バーナ２０による加熱量は、自動的に絞られる。すなわち、麺投入の待機状態（Ｓ１６０）におけるバーナ２０の加熱量は、沸騰検出処理中（Ｓ１３０）における加熱量よりも小さい。
【００６４】
コントローラ１０は、ＦＬＧ＝０のとき（Ｓ１２０のＮＯ判定時）には、ステップＳ１３０〜Ｓ１５０をスキップして、処理をステップＳ１６０へ進める。この結果、短時間再開ケースでは、沸騰検出処理（Ｓ１３０）が実行されることなく、即座に、麺投入の待機状態となる。
【００６５】
コントローラ１０は、ステップＳ１７０により、麺茹でが開始されたかどうかを検知する。たとえば、麺茹での開始は、ユーザが、麺の投入時に操作パネル５１に設けられる所定ボタンを操作することによって検知される。
【００６６】
コントローラ１０は、麺茹でが開始されると（Ｓ１７０のＹＥＳ判定時）、麺茹で開始時間における麺茹での指定時間Ｔｍｄを読み込むとともに、タイマ１３によるカウントアップを開始する。
【００６７】
そして、コントローラ１０は、ステップＳ２００により、図３で説明した吹きこぼれ防止制御を実行する。これにより、バーナ２０による加熱量は、流量調整部２７を用いて、時間経過に応じて自動的に増減するように制御される。コントローラ１０は、ステップＳ２１０では、タイマ１３のカウント開始（Ｓ１８０）からの経過時間を指定時間Ｔｍｄと比較する。
【００６８】
コントローラ１０は、指定時間Ｔｍｄが経過するまでの間（Ｓ２１０のＮＯ判定時）、ステップＳ２００による吹きこぼれ防止制御を継続する。一方、指定時間Ｔｍｄの経過が検知されると（Ｓ２１０のＹＥＳ判定時）、コントローラ１０は、ステップＳ２２０に処理を進めて、バーナ２０を自動的に消火する。これにより、バーナ２０からの加熱が停止されるとともに、麺茹でモードが終了される。このとき、コントローラ１０は、図６のステップＳ１１４での判定温度Ｔｔｈを設定するために、この時点での検出温度Ｔｄを、上記（１）式または（２）式で使用するのＴｄ（ｆ）として記憶することができる。
【００６９】
したがって、図５の制御処理を伴う本実施の形態によれば、沸騰検出要否判定（Ｓ１１０）を設けることにより、麺茹でモードが起動されると、沸騰検出後に吹きこぼれ制御を実行する第１のパターン（図３）と、沸騰検出処理を行わずに吹きこぼれ制御を実行する第２のパターンとを選択できる。特に、短時間再開ケースでは、第２のパターンを選択することができるので、調理容器２００内の湯温が沸騰温度に比較的近い状態から、麺茹でモードが再開されるケースにおいて、沸騰検出処理が完了するまでの間に調理容器２００内の湯が沸騰してしまい、湯の吹きこぼれが発生することを防止できる。この結果、短時間再開ケースの抽出により、吹きこぼれ防止制御を適切に開始することによって、調理容器からの湯の吹きこぼれを防止することが可能となる。また、通常時（短時間再開ケース以外）では、沸騰検出後の湯を用いて、麺を茹でることができる。
【００７０】
なお、本実施の形態では、吹きこぼれ防止制御が麺茹でモードで実行される例を説明したが、本発明の適用は、このような例示に限定されるものではなく、沸騰検出処理および吹きこぼれ防止制御を含む特定の調理モードに対して、共通に適用することが可能である。
【００７１】
また、本実施の形態では、加熱調理機器として、ガスを燃料としたバーナによって加熱するガスコンロを例示したが、電気ヒータや誘導加熱によって調理容器を加熱するように「加熱部」が構成されてもよい。すなわち、「加熱部」は、加熱量の自動制御が可能であれば、加熱の態様を特に限定するものではない。
【００７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７３】
１０  コントローラ、１１  天板、１２  メモリ、１３  タイマ、１４  スピーカ、１５  発光ダイオード、２０，３０，４０  バーナ、２２，３２，４２  五徳、２５，３５，４５  温度センサ、２６，３６，４６  荷重センサ、２７，３７，４７  流量調整部、５１，５２，５３  操作パネル、６１，６２，６３  点火スイッチ、１００  コンロ、２００  調理容器、Ｔｄ  検出温度（温度センサ）、Ｔｘ，Ｔｙ  基準温度。
【図１】
0006699393.tif 000002
【図２】
0006699393.tif 000003
【図３】
0006699393.tif 000004
【図４】
0006699393.tif 000005
【図５】
0006699393.tif 000006
【図６】
0006699393.tif 000007